(57)【要約】【課題】他の制御ができない場面であることを操作者が容易に認識できる操作装置及び操作画面表示方法を提供する。【解決手段】リモコン雲台及びカメラを操作する雲台コントローラは操作画面６１が表示される液晶表示部を備えている。操作画面６１のAWBボタン１００を操作すると、カメラのAWB制御が開始されるとともに、操作画面６１内のすべての操作が禁止され、操作画面６１全体の明るさを通常表示状態に対して半減させる。操作画面６１のABBボタン１０２を操作したときにも同様の表示制御が行われる。他の操作の一部が禁止される機能は、禁止される機能が割り付けられたボタンと背景部１２０のみの明るさを落としてもよい。【選択図】  図５
2010124075.tif 000002
【特許請求の範囲】
【請求項１】
カメラを搭載したリモコン雲台カメラ装置を操作する操作装置であって、
前記リモコン雲台の操作に用いる操作ボタン及び前記カメラの操作に用いる操作ボタンの少なくともいずれか一方が設けられる操作画面を表示する表示手段と、
前記操作ボタンが操作され、当該操作ボタンに割り付けられている機能が開始されると、当該機能が終了するまでの間、少なくとも他の操作ボタン及びその周囲部の明るさを前記操作ボタンが操作されたときよりも落とすように前記表示手段の制御を行う表示制御手段と、
を備えたことを特徴とする操作装置。
【請求項２】
請求項１に記載の操作装置において、
前記操作ボタンは、当該操作ボタンに割り付けられている機能以外の他の機能の実行が禁止される機能が割り付けられている操作ボタンを含み、
前記他の操作ボタンは、前記他の機能が割り付けられている操作ボタンを含むことを特徴とする操作装置。
【請求項３】
請求項１又は２に記載の操作装置であって、
前記表示制御手段は、前記操作ボタンが操作され、当該操作ボタンに割り付けられている機能が開始されると、当該機能が終了するまでの間、前記操作画面の全体の明るさを前記操作ボタンが操作されたときよりも落とすように前記表示手段の制御を行うことを特徴とする操作装置。
【請求項４】
請求項１又は２に記載の操作装置において、
前記表示制御手段は、前記操作ボタンが操作され、当該操作ボタンに割り付けられている機能が開始されると、当該機能が終了するまでの間、前記操作ボタンに割り付けられている機能と関連する機能が割り付けられている操作ボタンの明るさを落とさないように前記表示手段の制御を行うことを特徴とする操作装置。
【請求項５】
請求項４に記載の操作装置において、
前記表示制御手段は、前記操作ボタンの操作前の状態において前記操作ボタンに割り付けられている機能と関連する機能が割り付けられている操作ボタンの明るさを他の操作ボタンよりも落とすように前記表示手段の制御を行うことを特徴とする操作装置。
【請求項６】
請求項１乃至５のいずれか１項に記載の操作装置において、
前記操作ボタンは、オートホワイトバランスが割り付けられている操作ボタン及びオートブラックバランスが割り付けられている操作ボタンの少なくともいずれか一方を含むことを特徴とする操作装置。
【請求項７】
請求項１乃至６のいずれか１項に記載の操作装置において、
前記表示制御手段は、明るさを落とす部分に対応するパターンを有するマスクパターンを用いて、当該部分の明るさを通常よりも落とすように前記表示手段の制御を行うことを特徴とする操作装置。
【請求項８】
請求項１乃至７のいずれか１項に記載の操作装置において、
前記表示制御手段は、明るさを落とす部分の明るさを通常の１／２以下となるように前記表示手段の制御を行うことを特徴とする操作装置。
【請求項９】
カメラを搭載したリモコン雲台カメラ装置を操作する操作装置に具備され、前記リモコン雲台の操作に用いる操作ボタン及び前記カメラの操作に用いる操作ボタンの少なくともいずれか一方が設けられる操作画面の表示方法であって、
前記操作ボタンが操作され、当該操作ボタンに割り付けられている機能が開始されると、当該機能が終了するまでの間、少なくとも他の操作ボタン及びその周囲部の明るさを前記操作ボタンが操作されたときよりも落とすことを特徴とする操作画面表示方法。
【発明の詳細な説明】
【技術分野】
【０００１】
本発明は操作装置及び操作画面表示方法に係り、特にリモコン雲台を操作する雲台コントローラの操作画面表示技術に関する。
【背景技術】
【０００２】
定点観測用等のテレビカメラはリモコン雲台に取り付けられ、雲台コントローラからの遠隔操作によってパンニング、チルチング、ズーミング、フォーカシングなどを行い、所望の撮影を行うことができるようになっている。例えば、天気など各地の様子を知らせるビデオカメラは各中継地点に設置され、各リモコン雲台はオペレータの所在地点に設置された複数の雲台コントローラとネットワーク接続され、各設置場所の雲台コントローラによってビデオカメラの制御が行われる。
【０００３】
上記のような雲台コントローラの操作面は、パンニング、チルチング、ズーミング、フォーカシングなど制御を行うために操作される操作部材や、上記以外の制御を行うための操作ボタン及びリモコン雲台及びカメラの設定が表示される表示装置が設けられている(特許文献１)。
【０００４】
また、モニタ画面にメニューを表示させて操作を行い、さらにサブメニューを表示するときに、新たに表示されたサブメニューを反転表示するとともに選択されたメニューと選択されていないメニューとの表示を違う字体とする映像監視システムにおける録画監視装置の画面表示方法が開示されている(特許文献２)。
【特許文献１】特開２００４−２７４３３３号公報
【特許文献２】特開２０００−２４４９０３号公報
【発明の開示】
【発明が解決しようとする課題】
【０００５】
ところで、カメラ及びリモコン雲台の制御の中には、当該制御実行中に他の制御が実行されると適切な制御や設定を行うことができないものがある。例えば、カメラのホワイトバランス制御中は所定の期間中カメラを固定しなければ、正確なホワイトバランス制御を行うことができない。しかしながら、運用上雲台コントローラが操作できない場面であっても表示方法は一定であった。一方、ボタンの近傍に設けられたＬＥＤなどの照明を点灯させることや、タッチパネル式の液晶表示装置において色の反転表示をすることなどにより、他の操作が禁止される機能の実行中である旨を操作者に報知する装置はあるものの、操作者に対して訴える度合いが低いという課題が存在する。また、関連する機能以外をすべて禁止する特別な場合も同様であった。
【０００６】
本発明はこのような事情に鑑みてなされたもので、他の制御ができない場面であることを操作者が容易に認識できる操作装置及び操作画面表示方法を提供することを目的とする。
【課題を解決するための手段】
【０００７】
上記目的を達成するために、本発明に係る操作装置は、カメラを搭載したリモコン雲台カメラ装置を操作する操作装置であって、前記リモコン雲台の操作に用いる操作ボタン及び前記カメラの操作に用いる操作ボタンの少なくともいずれか一方が設けられる操作画面を表示する表示手段と、前記操作ボタンが操作され、当該操作ボタンに割り付けられている機能が開始されると、当該機能が終了するまでの間、少なくとも他の操作ボタン及びその周囲部の明るさを前記操作ボタンが操作されたときよりも落とすように前記表示手段の制御を行う表示制御手段と、を備えたことを特徴とする。
【発明の効果】
【０００８】
本発明によれば、操作画面に設けられる操作ボタンが操作されると、少なくとも他の操作ボタン及びその周囲部の明るさを操作時よりも落とすので、操作者は視覚的に操作画面の状態を把握することができ、無駄な操作が行われることが防止され、かつ、的確な操作を行うことができ、操作しやすい操作装置の提供が可能である。
【発明を実施するための最良の形態】
【０００９】
以下、添付図面に従って、本発明の好ましい実施の形態について詳説する。
【００１０】
〔リモコン雲台システムの全体構成〕
図１は、本発明の実施形態に係る示すリモコン雲台システム１０の全体構成図である。同図に示すリモコン雲台システム１０は、ネットワーク１２を介してリモコン雲台カメラ装置（リモコン雲台）１４と操作装置（雲台コントローラ）２０が接続されており、リモコン雲台１４と雲台コントローラ２０との通信接続が確立されると、雲台コントローラ２０からネットワーク１２を介してリモコン雲台１４へ所定のコマンドが送出され、当該コマンドに応じてリモコン雲台１４が動作するように構成されている。
【００１１】
本例における「ネットワーク」の概念は、所定の通信プロトコルによって双方向通信が可能な通信形態を含む概念であり、その一例として、ＬＡＮ（local aria network）やＷＡＮ（wide arianetwork）などが挙げられる。また、ネットワーク１２と雲台コントローラとの間にモデムなどの通信装置を接続する態様も可能である。なお、通信接続は有線であるか無線であるかを問わない。
【００１２】
〔リモコン雲台の説明〕
次に、図１に示すリモコン雲台１４について説明する。
【００１３】
同図に示すリモコン雲台１４は、図示しないテレビカメラ（以下、単にカメラという。）を収納するハウジング４０と、ハウジング４０と共にカメラをパンニング（水平方向（パン方向）の回転動作）及びチルチング（垂直方向（チルト方向）の回転動作）させる雲台本体４１とから構成される。ハウジング４０の前面には透明の前面ガラス４２が設けられており、カメラはこの前面ガラス４２を介してハウジング４０外部の映像を撮影する。
【００１４】
ハウジング４０は雲台本体４１から延設されたチルト軸（不図示）に片持ち支持されており、このチルト軸が雲台本体４１に内蔵されたチルトモータによって回転駆動される。
【００１５】
これにより、ハウジング４０と共にハウジング４０内のカメラがチルチングする。また、雲台本体４１は図示しない据付台上に固定されたパン軸４３によって支持されており、このパン軸４３を軸に雲台本体４１が内蔵のパンモータによって回転駆動される。これにより、ハウジング４０と共にハウジング４０内のカメラがパンニングする。なお、カメラをパンニング又はチルチングさせるリモコン雲台１４の動作をリモコン雲台１４のパン／チルト動作というものとする。
【００１６】
〔雲台コントローラの説明〕
次に、図１に示す雲台コントローラ２０について説明する。
【００１７】
同図に示す雲台コントローラ２０は、ネットワーク１２を介してリモコン雲台１４に接続されており、雲台コントローラ２０に設けられた操作部材の操作によりリモコン雲台１４及びリモコン雲台１４に搭載されたカメラ（カメラ本体及びレンズ）の各種制御機能に関するコマンドがリモコン雲台１４に送信されるように構成されている。
【００１８】
図２は、雲台コントローラ２０の操作面の構成を示した平面図である。同図に示すように雲台コントローラ２０の操作面には、操作棒（ジョイスティック）４４、フォーカスつまみ４５、ズームレバー４６、液晶表示部２２が配置されている。
【００１９】
ジョイスティック４４は、リモコン雲台１４をパン／チルト操作するために機械的に構成された操作部材であり、ジョイスティック４４を前後左右に傾斜させると、その傾斜方向及び傾斜量に応じた方向及び速度でリモコン雲台１４をパン／チルト動作させることができる。
【００２０】
フォーカスつまみ４５は、カメラ（レンズ）のフォーカス操作を行うために機械的に構成された操作部材であり、フォーカスつまみ４５を回動操作すると、その位置に応じたフォーカス位置にフォーカスを移動させることができる。
【００２１】
ズームレバー４６は、カメラ（レンズ）のズーム操作を行うために機械的に構成された操作部材であって、左右方向の中央にある前後方向の軸を中心に揺動するようになっている。ズームレバー４６の左右のいずれかを押すと、押した側及びその押込み量に応じた方向及び速度でズームを移動させることができる。
【００２２】
液晶表示部２２は、パン／チルト操作、フォーカシング操作及びズーム操作の制御以外のリモコン雲台１４及びカメラの制御機能に関する操作を行うための操作部であり、液晶パネルと液晶パネルの表面に設置されたタッチパネルとから構成されている。液晶表示部２２は、カメラの電源のオンオフを行うパワーボタンやメニュー機能を実行するメニューボタンなどの操作ボタン（図２中不図示、図４に符号６６を付して図示）が表示される。
【００２３】
図３は、雲台コントローラ２０の全体構成を示したブロック図である。同図において、図２に示したジョイスティック４４、フォーカスつまみ４５、ズームレバー４６は、操作部５２として示されており、その操作部５２での操作はＣＰＵ５０によって検出されるようになっている。ＣＰＵ５０は、通信インターフェース５４を介して操作に対応するコマンドを通じてリモコン雲台１４に送信する。これによって操作部５２の操作に従ってリモコン雲台１４及びカメラが制御される。
【００２４】
また、ＣＰＵ５０は液晶パネル５６のバックライトの制御を行うとともに、画面の一部にグレーマスクをかけて画面内の一部の明るさを選択的に落とすように、液晶パネル５６の表示制御を行う表示制御手段として機能する。なお、液晶パネル５６の表示制御の詳細については後述する。
【００２５】
〔操作画面の説明〕
次に、図２に示す液晶表示部２２（図３の液晶パネル５６）に表示される操作画面について詳細に説明する。
【００２６】
図４は、液晶表示部２２に表示される操作画面６１の構成例を示す図である。同図に示す操作画面６１の中央部には、多数の操作ボタン６６と、操作ボタン６６に対応して当該操作ボタン６６のオンオフや選択状態を表示するボタン表示部６８と、カメラ情報７０が表示されるカメラ情報表示部と、を含む操作ボタン領域７２が設けられている。操作ボタン領域７２は階層構造を有しており、タブ７４を押すことでタブ７４に対応する階層を表示するように構成されている。図４には操作ボタン領域７２について７種類の階層を有する態様を示し、カメラの制御に関連する操作ボタン６６の一群が表示されるカメラコントロールタブ（階層）を開いた状態を図示する。
【００２７】
操作ボタン６６は文字情報により割り付けられた機能がキートップに表示され、操作ボタン６６の上側に設けられたボタン表示部６８は対応するボタンの状態が表示される。例えば、上段左端の操作ボタン６６はカメラ電源のオンオフを行うパワーボタンであり、その機能を意味する「ＰＯＷＥＲ」の文字がキートップに表示され、当該操作ボタン６６に対応するボタン表示部６８に電源のオンオフ状態（図４ではオン状態）が表示される。
【００２８】
なお、図４は操作ボタン領域７２（操作ボタン領域７２の中のCAMERA CLTタブ）に表示可能な操作ボタン６６及びボタン表示部６８をすべて表示したが、これらの操作ボタン６６の中から必要なボタンのみを選択的に表示してもよい。
【００２９】
次に、操作ボタン領域７２（操作画面６１）の表示制御について、さらに詳細に説明する。
【００３０】
図５（ａ）、（ｂ）は、図４の操作画面６１（操作ボタン領域７２）の中から、一部の操作ボタンを任意に抜き出して図示したものである。図５（ａ）に示すＡＷＢ（オートホワイトバランス）ボタン１００はＡＷＢ制御を行うときに操作されるボタンであり、ＡＢＢ（オートブラックバランス）ボタン１０２はＡＢＢ制御を行うときに操作されるボタンである。また、ショットボタン１０４は予め決められたショットを撮影するときに操作され、ゲインボタン１０６はゲイン調整制御を行うときに操作される。
【００３１】
ＡＷＢ制御実行中にカメラの向きを変える操作やカメラの絞りを変える制御などの他の機能が実行されると、カメラのホワイトバランス設定が適切に行われないおそれがある。本例では、ＡＷＢ制御が開始されるとＡＷＢ制御が終了するまで他のすべての機能（制御）の実行が禁止されるとともに、雲台コントローラ２０（図１参照）の操作画面６１に他の機能の実行が禁止されている状態である旨の表示がされる。また、この状態において、実行が禁止されている機能が割り付けられている操作ボタンは、操作禁止（仮に操作したとしてもその操作は無効になる状態）となっている。
【００３２】
図５（ｂ）は、操作画面６１に設けられるすべての操作ボタンに割り付けられている機能の実行が禁止されたときの操作画面６１の表示状態を示す概念図である。同図に示す操作画面６１は、所定の機能の実行が禁止中である旨の表示の一例として、通常表示状態（図５(ａ)の操作画面６１）に対して、操作ボタン部及び周囲部１２０を含む操作画面６１の全体の明るさを落としている。操作画面６１の明るさは通常表示状態に対して半減又は半減以下とするとよく、操作画面６１が視認できる程度の明るさ（例えば、通常表示状態の１／１０）まで落とすことが可能である。
【００３３】
言い換えると、操作禁止状態における操作画面６１の明るさは通常表示状態の１／２以下であり、かつ操作画面６１が視認できる程度の明るさの範囲に調節される。液晶表示部２２の種類ごとに輝度が異なりその度合いも違うので、操作画面６１の明るさ範囲の最小値は液晶表示部２２の種類ごとに適宜設定するとよい。
【００３４】
なお、ここでいう「周囲部」とは、操作ボタン領域７２における操作ボタン群の回りの領域を少なくとも含んでいる。また、周囲部は操作画面の中で操作ボタンやフレームが設けられていない背景部を含んでいてもよい。
【００３５】
図５（ｂ）に操作画面６１全体の明るさを落とす態様を例示したが、操作画面６１のうち、操作ボタン領域７２のみの明るさを落としてもよい。操作画面６１の全体の明るさを落とすには、液晶表示部２２（液晶パネル５６）のバックライトの輝度を調整すればよい。また、操作ボタン領域７２のみの明るさを落とすには、操作ボタン領域７２に対応してパターンニングされたグレーマスクパターンを使用すればよい。
【００３６】
ＡＷＢ制御が終了すると、図５（ｂ）に示す所定の機能の実行が禁止されている状態の操作画面６１は自動的に図５（ａ）に示す通常表示状態の操作画面６１に切り換わり、操作画面６１が明るくなる。このようにして、所定の機能の実行が禁止される機能が開始されると、当該機能が終了するまでの一定期間、操作画面６１の明るさを半減又は半減以下とし、操作者にカメラ及びリモコン雲台は他の機能の実行が禁止されている状態である旨を視覚的に報知するので、操作者は操作画面６１を見て該禁止状態であることを容易に把握することができる。
【００３７】
他の機能のすべての実行を禁止する機能（制御）には、ＡＷＢ、ＡＢＢなどがある。また、他の機能のうち、関連する一部の機能の実行のみを禁止する機能（制御）には、ＡＵＴＯ（カメラ側でシャッター、ゲイン等をフルオート制御する機能）やＡＴＷ（オートトラキングホワイトバランス；ホワイトバランスを逐次自動補正する機能）などがある。ＡＵＴＯの実行中はシャッターやゲインコントロールなどの機能の実行が禁止され、ＡＴＷの実行中はＲＥＤ  ＧＡＩＮやＢＬＵＥ  ＧＡＩＮなどの個別のゲイン調節機能の実行が禁止される。
【００３８】
また、図６（ａ）に示す操作画面６１’（操作ボタン領域７２）のように、メニューボタン１３０及びメニューボタン１３０に関連する上向きカーソル（↑）ボタン１３２、下向きカーソル（↓）ボタン１３４、エンター（ENT）ボタン１３６、メニューボタン１３０に対応するボタン表示部１４０が設けられる態様もあり得る。
【００３９】
図６（ａ）に図示したメニューボタン１３０は、カメラの基本設定を行うメニュー操作に移行するための操作ボタンであり、上向きカーソルボタン１３２、下向きカーソルボタン１３４はメニュー操作において操作画面６１’に表示されるカーソルを上下に移動させるときに使用される操作ボタンであり、エンターボタン１３６はカーソルを移動させて選択した処理を確定させるときに使用される操作ボタンである。また、上向きカーソルボタン１３２、下向きカーソルボタン１３４、エンターボタン１３６はメニューモードにおいてのみ操作が可能なボタンであり、メニュー操作以外のモードでは操作ができない操作ボタンである。
【００４０】
図６（ａ）に示す操作画面６１’はカメラの制御及びリモコン雲台１４の制御に関するすべての操作が可能な通常状態であり、操作画面６１’の明るさは通常の明るさとなっている。一方、メニュー機能の実行中のみに使用される上向きカーソルボタン１３２、下向きカーソルボタン１３４、エンターボタン１３６はキートップの表示がグレー表示（又は表示なし）となっており、通常状態において操作が無効である旨が報知される。
【００４１】
図６（ａ）に示す操作画面６１’においてメニューボタン１３０が操作されると、カメラの制御又はリモコン雲台１４の制御はメニュー機能が可能となり、図６（ｂ）に示す操作画面６１’に切り換わる。
【００４２】
図６（ｂ）に示す操作画面６１’は、上向きカーソルボタン１３２、下向きカーソルボタン１３４、エンターボタン１３６のキートップの表示がグレー表示から通常表示に切り換わるとともに、周囲部１２０、及びメニューボタン１３０、上向きカーソルボタン１３２、下向きカーソルボタン１３４、エンターボタン１３６以外の操作ボタン部の明るさはメニューボタン１３０、上向きカーソルボタン１３２、下向きカーソルボタン１３４、エンターボタン１３６の明るさに対して半減または半減以下の明るさに落とされる。
【００４３】
すなわち、図６（ｂ）に示す操作画面６１’において、ＡＷＢボタン１００、ＡＢＢボタン１０２、ショットボタン１０４、ゲインボタン１０６は、割り付けられている機能の実行が禁止されている操作ボタンである。一方、メニューボタン１３０、上向きカーソルボタン１３２、下向きカーソルボタン１３４、エンターボタン１３６は、メニュー機能実行中に禁止されていない機能が割り付けられている操作ボタンであり、割り付けられている機能の実行が禁止されている操作ボタン及び周囲部１２０は、割り付けられている機能の実行が可能な操作ボタンに対して明るさが半減又は半減以下となる。
【００４４】
図６（ｂ）の操作画面６１’においてメニューボタン１３０を操作すると、カメラの制御又はリモコン雲台１４の制御はメニューモードからメニューオフ（通常モード）に移行し、操作画面６１’は図６（ａ）に図示した通常表示状態に切り換えられる。
【００４５】
このように操作画面６１（６１’）の表示を制御することで、他の機能（制御）の一部又は全部が禁止される機能が実行されたときに、当該機能が終了するまでの間少なくとも実行が禁止される機能に割り付けられている選択ボタン及び該選択ボタンの周囲部１２０の明るさを通常表示状態の１／２以下に落とすので、操作者は操作画面６１内に割り付けられている機能の実行が禁止されている操作ボタンが存在することを視覚的に把握することができ、無駄な操作を行うことが回避でき、かつ、操作しやすい雲台コントローラの提供が可能である。
【００４６】
次に、再び図４に戻り、操作ボタン領域７２以外の操作画面６１について説明する。同図に示す操作画面６１の上端部に設けられる選択ボタン領域６２は、図１に図示したネットワーク１２（又は、後述する図８に図示するネットワーク２０２）を介して複数のリモコン雲台１４との通信接続が可能に構成されたシステムに対応するものである。選択ボタン領域の詳細な説明は、後述する〔応用例１〕において行う。
【００４７】
選択ボタン領域６２の下段にはリモコン雲台の状態を表示するリモコン雲台状態表示部６４が設けられている。図４には、リモコン雲台の状態として、カメラを挿脱するためのハウジングドアの開閉情報（ＤＯＯＲ  ＡＬＡＲＭ）、ハウジング内の温度情報（ＴＥＭＰ  ＡＬＡＲＭ）、パン／チルトの位置情報（ＰＡＭ／ＴＩＬＴ  ＡＬＡＲＭ）、ハウジングの窓（窓ガラス）の霜等を除去するデフロスタ（ＤＥＦＲＯＳＴＥＲ）や、ハウジング内の温度を調整するヒーター（ＨＥＡＴＥＲ）又はフアン（ＦＡＮ）等の動作状況を示す情報、撮影中であるか否か（ＯＮ  ＡＩＲ）などを表示する態様を例示した。
【００４８】
操作ボタン領域７２には、通信接続を確立しているカメラの名称、型式等のカメラ情報７０が表示される。図４には、カメラ情報７０としてカメラの型式（ＡＢ−Ｃ１０００）及びレンズ型式（ＨＢ１４×６．３ＢＥＲ）を表示する態様を例示した。上述したように、カメラ情報７０にレンズの仕様などの光学系の情報を表示してもよい。図７には、カメラの型式及びレンズの型式に加えて、Ｍ．Ｏ．Ｄ（０．４ｍｍ）、焦点距離範囲（４．６−６０ｍｍ）、エクステンダーの有無（なし）が表示される態様を示す。
【００４９】
カメラ情報７０は、少なくとも操作者がその情報を確認したいときに表示されればよい。また、図４に図示したカメラの型式及びレンズの型式のみのカメラ情報７０と、図７に示すＭ．Ｏ．Ｄ等を含むカメラ情報７０’と、を切り換え表示してもよい。例えば、通常は図４のカメラ情報７０が表示され、操作者がボタン操作等を行うと図７のカメラ情報７０’に切り換わり、同じ操作を再度行うと図４のカメラ情報に戻るように構成してもよい。
【００５０】
操作ボタン領域７２の下段には、カメラの設定が表示されるカメラ設定表示部７６が設けられている。図４にはカメラの設定として、ショットタイム、ＲＧＢゲイン、ペデスタル、絞りの設定を表示する態様を例示した。
【００５１】
このような操作画面６１のレイアウトは図３のメモリ６０に記憶される。なお、図４に示す操作画面６１のレイアウトはあくまでも一例であり、適宜変更、追加、削除が可能である。
【００５２】
〔応用例１〕
次に、本発明の応用例１について説明する。以下に説明する応用例１は、通信回線網などに接続された複数のリモコン雲台及びカメラを１台又は複数台の雲台コントローラにより操作するマルチ通信システムへの適用例である。
【００５３】
なお、以下の説明において先に説明した部分と同一又は類似する部分には同一の符号を付し、その説明は省略する。
【００５４】
図８は、応用例１に係るリモコン雲台システム２００の全体構成を示すブロック図である。同図に示すリモコン雲台システム２００は、ネットワーク２０２に接続される２５６台のリモコン雲台１４−１〜１４−２５６と、前記ネットワーク２０２に接続される８台のモデム２０６−１〜２０６−８と、ＬＡＮ（Local Area Network）２０８を介してモデム（通信装置）２０６と接続される複数台（図８では３台）の雲台コントローラ２０−１〜２０−３と、を含んで構成されている。
【００５５】
ネットワーク２０２は電話回線網やインターネットなどの大規模な公衆回線網が適用され。ＬＡＮ２０８は構内通信網や小規模通信網といった小規模なエリアを対象とする通信形態が適用される。また、ネットワーク２０２及びＬＡＮ２０８の通信形態は有線、無線を問わない。
【００５６】
各リモコン雲台１４は識別情報（ネットワーク２０２上における接続情報）が付与されている。リモコン雲台１４の識別情報はネットワーク２０２の種類に応じて電話番号やＩＰアドレス（ＵＲＬ）が適用される。図８にはリモコン雲台１４の接続情報として電話番号（１０桁の数字列）とランドマーク名を例示した。
【００５７】
雲台コントローラ２０にはネットワーク２０２に接続されるリモコン雲台１４が予め登録されており、雲台コントローラ２０に設けられた液晶表示部２２にリモコン雲台１４の一覧が表示される。雲台コントローラ２０の操作者は、液晶表示部２２上で通信を行うリモコン雲台１４の選択操作ができるように構成されている。
【００５８】
雲台コントローラ２０に登録されるリモコン雲台１４の情報には、各リモコン雲台１４の電話番号（ＩＰアドレス）、及び各リモコン雲台１４が設置される設置先の名称（図６においてアルファベット３文字で表した文字列）が含まれる。
【００５９】
このように１台乃至は２台以上の雲台コントローラ２０がＬＡＮ２０８などのマルチ通信システムによって接続された操作システムと、複数台用意されているリモコン雲台１４と、を公衆回線網やインターネット等のネットワーク２０２を用いて通信の確立及び切断を行えるシステムを構築した場合、操作者は意図するリモコン雲台１４に対して通信を試み、通信を確立できた場合にはそのリモコン雲台１４に搭載されたテレビカメラ（不図示）を操作して所望の撮影が行われる。
【００６０】
図８に示すリモコン雲台システム２００は、１台の雲台コントローラ２０と通信可能なリモコン雲台１４が複数存在し、雲台コントローラ２０の液晶表示部２２に表示される一覧の中から通信を試みるリモコン雲台１４を選択し、選択されたリモコン雲台１４について通信の確立を試みるように構成されている。一覧に表示するリモコン雲台１４は、予め登録された通信先として各雲台コントローラ２０に記憶しておき、登録されたリモコン雲台１４の中から選択するものとして選択ミスを極力低くする配慮をしたものである。かかる事情を考慮して、電話番号などの接続情報とともに固有名称（設置先の地名、建物名など設置先を表す情報）を登録可能としておく。図８に示すように、雲台コントローラ２０の液晶表示部２２に各リモコン雲台１４の接続情報と固有名称を表示することによって、選択ミスの低減化を実現している。
【００６１】
各雲台コントローラ２０に登録されるリモコン雲台１４の登録情報は、ＬＡＮ２０８に接続されるすべての雲台コントローラ２０における共有の情報として管理される。すなわち、ＬＡＮ２０８に接続されるすべて雲台コントローラ２０がリモコン雲台１４の登録情報を共有し、かつ、それぞれの雲台コントローラ２０に登録情報を記憶しておくことでは、ＬＡＮ２０８に接続されるすべての雲台コントローラ２０において共通の通信先の選択操作が可能となる。
【００６２】
リモコン雲台１４の登録は、雲台コントローラ２０のタッチパネルやソフトウエアキーボード、外部接続されるキーボード等のユーザインターフェースを用いて入力する形式でもよいし、外部入力端子を介して電子ファイル形式で作成された一覧表のファイルを読み込む方式でもよい。また、一つの雲台コントローラ２０に記憶された情報（ファイル）を他の雲台コントローラ２０に複写するように構成と、複数の雲台コントローラ２０の間でファイルを共有することができ好ましい。
【００６３】
なお、上述したリモコン雲台１４の登録方法は、図１に示すリモコン雲台システム１０にもそのまま適用可能である。また、新しいリモコン雲台やカメラの情報を追加する必要が生じた場合には、上述した登録方法によって記憶内容を適宜更新可能である。
【００６４】
次に、雲台コントローラ２０の液晶表示部２２に表示される操作画面６１（図４参照）の上端部に設けられる選択ボタン領域６２について説明する。
【００６５】
図４に示す選択ボタン領域６２は、複数のリモコン雲台（図８参照）の中から制御対象の１台を選択するための複数の選択ボタン３０が表示される。複数の選択ボタン３０は雲台コントローラ２０とネットワーク２０２とをつなぐモデム２０６に対応している。
【００６６】
すなわち、図４に図示した８個の選択ボタン３０−１〜３０−８のそれぞれに対して８個のモデムが割り付けられている。選択ボタン３０の数はモデムの数に応じて適宜追加又は削除することができる。また、対応するモデムが存在しない選択ボタン３０があってもよい。
【００６７】
選択ボタン３０は、通信が確立されたリモコン雲台１４の識別情報を表示することができる。図４に示す操作画面６１において、選択ボタン３０−１の「ａａａ」という表示は識別情報「ａａａ」を持つリモコン雲台１４との通信が選択ボタン３０−１に割り付けられたモデム（例えば、図８のモデム２０６−１）を介して確立されていることを意味している。ここで、識別情報とはリモコン雲台の固有名称を含む概念であり、例えば、リモコン雲台１４の設置場所や電話番号、ＩＰアドレスなどが挙げられる。また、設置場所の具体例としては、「東京タワー」、「ベイブリッジ」、「新宿御苑」などのランドマーク名や、「東京都新宿区□□１−２−３」などの住所、「新宿」などの地名が挙げられる。
【００６８】
同様に、選択ボタン３０−２の「ｂｂｂ」という表示は、選択ボタン３０−２に割り付けられたモデム（例えば、図８のモデム２０６−２）を介して識別情報「ｂｂｂ」を持つリモコン雲台１４との通信が確立されていることを表し、選択ボタン３０−３の「ｃｃｃ」という表示は、選択ボタン３０−３に割り付けられたモデム（例えば、図８のモデム２０６−３）を介して識別情報「ｃｃｃ」を持つリモコン雲台１４との通信が確立されていることを意味する。一方、選択ボタン３０−４〜３０−８の「‐」という表示は、選択ボタン３０−４〜３０−８のそれぞれに割り付けられたモデムが未使用の状態を意味している。
【００６９】
次に、リモコン雲台１４と雲台コントローラ２０との通信接続を確立するための操作について説明する。
【００７０】
図９（ａ）〜（ｃ）は、液晶表示部２２の表示例を示す図であり、図４に図示した操作画面６１の一部のみを図示するものである。図９（ａ）は、リモコン雲台１４が選択されていない状態の液晶表示部２２を図示している。同図に示すように、操作者が選択ボタン３０−１を押すと選択ボタン３０−１に対応するモデム２０６が選択される。
【００７１】
図９（ｂ）は、選択されたモデム２０６を介して通信可能なリモコン雲台１４（図８参照）の一覧２１０がポップアップメニュー形式で表示されている状態を示す。同図に示すリモコン雲台一覧２１０は、各リモコン雲台１４を固有名称により表示している。操作者はリモコン雲台一覧２１０の中から所望のリモコン雲台１４を選択することで、当該雲台コントローラ２０は選択されたリモコン雲台１４との通信の確立を試みる。すなわち、操作者が選択ボタン３０を長押すると、押されている選択ボタン３０の下にポップアップメニューが表示される。さらに、ポップアップメニューの中の所望の通信先が表示されているボタンを押すと通信先が選択される。
【００７２】
図９（ｂ）には、ポップアップメニュー形式によりリモコン雲台一覧２１０を表示する態様を例示したが、選択ボタン３０を長押しするとリモコン雲台の選択専用画面に切り替わる態様など、他の表示方式を適用してもよい。
【００７３】
図９（ｃ）は、通信先が選択された後の状態を示している。図９（ａ）の操作及び図９（ｂ）の操作によって通信先が選択されると、選択ボタン３０の表示が「‐」から通信先の固有名称の表示に切り換わる。
【００７４】
同図には、通信先として「ｂｂｂ」が選択された状態が図示されている。このようにして、通信先が選択されると選択ボタン３０に通信先の固有名称が表示されるので、どのリモコン雲台１４との通信を確立しているかを一目で確認することができる。
【００７５】
本例に示すリモコン雲台システム２００は、ＬＡＮ２０８に接続される複数の雲台コントローラ２０の間において、リモコン雲台１４との通信状態の情報を共有するように構成されている。例えば、図７の雲台コントローラ２０−１がネットワーク２０２に接続されるリモコン雲台１４−１〜２５６の中の一つと通信を確立すると、他の雲台コントローラ２０−２〜２０−３の液晶表示部２２にもその情報が表示される。
【００７６】
図１０（ａ）〜（ｃ）は、複数の雲台コントローラ２０の間における表示の関係を説明する図である。例えば、図１０（ａ）は図８の雲台コントローラ２０−１の液晶表示部２２を図示し、図１０（ｂ）及び図１０（ｃ）はそれぞれ雲台コントローラ２０−２、２０−３の液晶表示部２２を図示している。
【００７７】
すなわち、図１０（ａ）に示すように、雲台コントローラ２０−１において識別情報「ａａａ」のリモコン雲台１４との通信を確立すると、雲台コントローラ２０−１の液晶表示部２２の選択ボタン３０−１に通信先の識別情報「ａａａ」が表示されるとともに、図１０（ｂ）に示す雲台コントローラ２０−２の液晶表示部２２の選択ボタン３０−１と、図１０（ｃ）に示す雲台コントローラ２０−３の液晶表示部２２の選択ボタン３０−１にも「ａａａ」が表示される。
【００７８】
言い換えると、本例に示すリモコン雲台システム２００は、図８に示すモデム２０６−１を介して、ＬＡＮ２０８に接続される雲台コントローラ２０−１〜２０−３と識別情報「ａａａ」のリモコン雲台１４−１との通信が確立されたことが、ＬＡＮ２０８に接続されるすべての雲台コントローラ２０−１〜２０−３に表示されるように構成されている。また、当該通信の切断が行われたときにもＬＡＮ２０８に接続されるすべての雲台コントローラ２０−１〜２０−３にその旨の表示がなされる。かかる構成によれば、いずれのモデム２０６を用いていずれのリモコン雲台１４との通信が確立されているかをＬＡＮ２０８に接続されるすべての雲台コントローラ２０−１〜２０−３の操作者が一目で判断できる。
【００７９】
また、図１１（ａ）〜（ｃ）に示すように、例えば、図１１（ｂ）に示す雲台コントローラ２０−２によって識別情報「ａａａ」のリモコン雲台１４−１（図７参照）を動作させる操作がなされている場合には、雲台コントローラ２０−２の選択ボタン３０−１の背景色を変更するとともに、図１１（ａ）に示す雲台コントローラ２０−１及び図１１（ｃ）に示す雲台コントローラ２０−３の液晶表示部２２に表示される選択ボタン３０−１の背景色を変更して、他の雲台コントローラ２０−１、２０−３におけるリモコン雲台１４−１は操作禁止である旨を表示するように構成されている。
【００８０】
なお、図１１（ａ）〜（ｃ）には、選択ボタン３０−１の背景色を切り換えることで、操作可能及び操作禁止の状態を表示する態様を例示したが、文字情報や他の表示方法を用いることも可能である。
【００８１】
図１２（ａ）〜（ｃ）は、図１２（ｃ）に示す雲台コントローラ２０−３によってリモコン雲台１４−１との通信が切断された場合の雲台コントローラ２０−１〜２０−３の表示を図示した図である。通信確立、操作可能及び操作禁止を表示する場合と同様に、雲台コントローラ２０−１〜２０−３の液晶表示部２２には共通の表示がなされる。具体的には、選択ボタン３０−１の表示が通信先「ａａａ」から通信を確立していないことを意味する「‐」に切り換えられる。
【００８２】
本応用例１に係るリモコン雲台システム２００によれば、予め登録されたリモコン雲台１４の固有名称（設置場所の名称）や電話番号などの識別情報が雲台コントローラ２０の液晶表示部２２に一覧形式で表示されるので、液晶表示部２２に表示されたリモコン雲台一覧２１０の中から所望のリモコン雲台１４を選択することができる。また、複数の雲台コントローラ２０が接続されるマルチ通信システムでは、雲台コントローラ２０の間で通信状態や操作状態の情報を共有し、他の雲台コントローラ２０の表示装置にも同じ表示がされるので、当該リモコン雲台システムの運用が容易となる。
【００８３】
〔応用例２〕
次に、本発明の応用例２について説明する。
【００８４】
本応用例２に示す雲台コントローラ２０は、通信が確立されたリモコン雲台１４に搭載されるカメラに応じて操作画面のレイアウトが変更されるように構成されている。すなわち、図３のメモリ６０は図８に示すネットワーク２０２に接続されるリモコン雲台１４に搭載されるカメラの操作画面のレイアウトがカメラごとに記憶されており、雲台コントローラ２０とリモコン雲台１４との通信が確立されると、図３のＣＰＵ５０が有するカメラ認識機能によってカメラが認識され、当該カメラに対応する操作画面のレイアウトが読み出されて液晶表示部２２に表示される。
【００８５】
図１３は、識別情報「ａａａ」を有するリモコン雲台１４に搭載されるカメラに対応する操作画面を示す図である。同図に示す操作画面３００は、通信を確立したリモコン雲台に応じてカメラコントロールタブ内の操作ボタン６６のレイアウトが変更されるように構成されている。操作画面３００の画面レイアウトはリモコン雲台１４と関連付けされて図３のメモリ６０に記憶されている。
【００８６】
図１３に図示したカメラ情報７０には、リモコン雲台１４に搭載されているカメラの型式（ＥＲ−７５５）及びレンズ型式（ＣＲ１４×１．２Ｂ）が表示され、該リモコン雲台１４に搭載されるカメラの制御に必要な操作ボタン６６が６つ表示され、かつ、該６つの操作ボタン６６のそれぞれに対応するボタン表示部６８が表示される。図１３には、カメラ電源（ＰＯＷＥＲ）、カメラ及びカラーバーの切換（ＣＡＭ／ＢＡＲ）、オートホワイトバランス（ＡＷＢ）、オートブラックバランス（ＡＢＢ）、ゲイン（ＧＡＩＮ）、シャッターのオンオフ（ＳＨＵＴＴＥＲ）の機能が割り付けられたボタンが表示される態様を示す。また、選択ボタン３０−１のハイライト表示がオンになる。
【００８７】
図１４は、識別情報「ｂｂｂ」を有するリモコン雲台１４用の操作画面３０２を図示したものである。通信先が「ｂｂｂ」のリモコン雲台１４に切り換えられると、メモリ６０（図３参照）から該リモコン雲台１４に対応する操作画面３０２のレイアウトが読み出され、液晶表示部２２の画面表示が自動的に変更される。図１４に示す操作画面３０２は、リモコン雲台１４に搭載されているカメラに対応して、カメラ情報７０が変更されるとともにカメラコントロールタブ内の操作ボタン６６が４つ追加される。また、カメラ設定表示部７６の中央部のフレーム（図１３においてゲイン設定が表示された部分）が枠のみの表示に変更される。さらに、選択ボタン３０−１のハイライト表示がオフになるとともに選択ボタン３０−２のハイライト表示がオンになる。
【００８８】
図１５は、識別情報「ｃｃｃ」を有するリモコン雲台１４用の操作画面３０４を図示したものである。通信先が「ｃｃｃ」のリモコン雲台１４に切り換えられると、メモリ６０（図３参照）からリモコン雲台１４に対応する操作画面３０４のレイアウトが読み出され、液晶表示部２２の画面表示が自動的に変更される。図１５に示す操作画面３０４では、リモコン雲台１４に搭載されているカメラに対応して、カメラ情報７０が変更されるとともに図１３に示す操作画面３００に対してカメラコントロールタブ内の操作ボタン６６が４つ追加される。また、カメラ設定表示部７６の中央部のフレーム（図１３においてゲイン設定が表示された部分）がペイント設定の表示に変更される。さらに、選択ボタン３０−２のハイライト表示がオフになるとともに選択ボタン３０−３のハイライト表示がオンになる。
【００８９】
かかる応用例２によれば、操作（制御）を行うカメラに対応した専用の操作画面を表示する機能を有し、カメラの接続切換操作（リモコン雲台１４との通信接続切換操作）に応じて、操作画面が自動的に切り換えられるように構成されているので、操作者は操作画面に表示されたカメラ情報７０を基にカメラに応じた的確な操作を行うことができ、また、レンズの操作に関してもレンズの機種を認識することによって倍率や明るさ、防振機能などの有無に応じた的確な操作を行うことができる。たとえば、カメラ情報７０を確認した後にそのカメラ専用の操作ソフトウエア立ち上げることや、レンズの機能の操作項目を制限することができる。
【００９０】
なお、本例ではタッチパネル付きの液晶表示部２２に操作画面を表示する態様を示したが、メカニカルボタン上の取り付けられた液晶表示装置や有機ＥＬ表示装置の表示切換にも適用可能である。かかる構成では、機能が割り付けられていないボタンにはその旨の表示（例えば「‐」）がされるように構成される。
【００９１】
〔応用例３〕
次に、本発明の応用例３について説明する。
【００９２】
上述したタッチパネル付き液晶表示部２２の操作画面３２０にオプションボタンが設けられている場合がある。このようなオプションボタンは、図１６に示すようにＡＵＸｌ、ＡＵＸ２、ＡＵＸ３、ＡＵＸ４のような機能名称が表示されている。しかし、この機能名称はすべてのリモコン雲台について有効なものとは限らず、操作者は通信しているリモコン雲台の機能を熟知した上での操作が必要となる。
【００９３】
図１６は、オプションボタン３３０〜３３６及びオプションボタン３３０〜３３６のそれぞれに対応するスイッチ表示部３４０〜３４６が設けられた操作画面３２０を示す図である。同図に示すように、オプションボタン３３０〜３３６にはＡＵＸｌ〜ＡＵＸ４という機能名称が表示されている。なお、この操作画面３２０は図４のＥＳＣ  ＣＴＬなどのタブに割り付けられている。
【００９４】
本応用例３に係る操作画面３２０は、初期状態（すべてのリモコン雲台１４が通信を確立していない状態）におけるＡＵＸｌ〜ＡＵＸ４という表示に代わり、一目で機能の内容を把握することができる機能名称に変更され、かつ、機能が割り当てられていないボタンはその旨が把握できる表示に変更されるように表示制御がなされる。
【００９５】
すなわち、予め図３に示すメモリ６０などの所定の記憶手段に、通信先の情報（電話番号、名称）とオプションボタンの機能表示を関連付けして記憶しておき、雲台コントローラ２０とリモコン雲台１４との通信が確立されると、該記憶手段から通信先（通信を確立したリモコン雲台１４）のオプションボタンの情報が読み出される。
【００９６】
図１７は、通信先とオプションボタンの表示との関係を示す図である。同図に示すように、識別情報「ａａａ」のリモコン雲台１４−１（図８参照）との通信を確立すると、図１６のオプションボタン３３０（ＡＵＸ１）は後付けのオプションフィルタ機能、オプションボタン３３２（ＡＵＸ２）は受信用ＦＰＵのパワーオンオフ機能、オプションボタン３３４（ＡＵＸ３）は送信用ＦＰＵのパワーオンオフ機能が割り付けられオプションボタン３３６（ＡＵＸ４）は機能の割り付けなしとなる。
【００９７】
また、図１６のオプションボタン３３０〜３３６の表示はそれぞれ「ＦＩＬＴＥＲ」、「ＲＸ  ＦＰＵ  ＰＷ」、「ＴＸ  ＦＰＵ  ＰＷ」、「−」と変更される。
【００９８】
また、識別情報「ｂｂｂ」のリモコン雲台１４−２（図８参照）との通信を確立すると、図１６のオプションボタン３３０はＩＰデコーダ装置のパワーオンオフ機能が割り付けられ、オプションボタン３３２〜３３６は機能の割り付けなしとなり、オプションボタン３３０の表示は「ＤＥＣＯＤＥＲ」に変更され、オプションボタン３３２〜３３６の表示は「−」に変更される。識別情報「ｃｃｃ」のリモコン雲台１４−３との通信を確立すると、図１６のオプションボタン３３０〜３３６は機能割り付けなしとなり、表示は「−」に変更される。
【００９９】
図１６に示すリモコン雲台１４とオプション機能及び機能表示との関係を雲台コントローラ２０に記憶するには、リモコン雲台１４の登録と同様の方法を適用することができる。例えば、雲台コントローラ２０のタッチパネル（ソフトウエアキーボード）や外部接続されるキーボード等のユーザインターフェースを用いて入力する形式でもよいし、外部入力端子を介して電子ファイル形式で作成された一覧表のファイルを読み込む方式でもよい。
【０１００】
図１８は、識別情報「ａａａ」のリモコン雲台１４−１に接続された場合の操作画面３２０を示す図である。同図に示すように、オプションボタン３３０は後付けのオプションフィルタ機能が割り付けられるとともに、機能名称を表す「ＦＩＬＴＥＲ」という表示に変更される。また、オプションボタン３３２は受信用ＦＰＵのパワーオンオフ機能が割り付けられるとともに、機能名称を表す「ＲＸ  ＦＰＵ  ＰＷ」という表示に変更され、ボタン３３４は送信用ＦＰＵのパワーオンオフ機能が割り付けられるとともに、機能名称を表す「ＴＸ  ＦＰＵ  ＰＷ」という表示に変更される。
【０１０１】
かかる応用例３によれば、一目で見てわかりやすい機能名称をオプションボタンに表示することで、操作者が接続先ごとにオプションボタンの機能を覚える必要がなく、各ボタンの機能を覚えていなくても機能を把握することができ、誤操作を未然に防ぐことが可能となる。なお、本応用例では、タッチパネル方式のボタンについて説明したが、機械式ボタンの名称を表示する表示装置における表示制御にも適用可能である。
【０１０２】
〔応用例４〕
次に、本発明の応用例４について説明する。
【０１０３】
図１９は、本応用例４に係るリモコン雲台システム４００の概略構成を示す。同図に示すリモコン雲台１４は、システムコントローラ４０２から電源の供給を受けて動作し、システムコントローラ４０２は雲台コントローラ２０から送出される指令信号に基づいて、リモコン雲台１４の電源のオンオフを行うように構成されている。
【０１０４】
すなわち、図２０に示すように、雲台コントローラ２０の液晶表示部２２には、システムコントローラ４０２（図１９参照）からリモコン雲台１４へ供給される電源のオンオフ（HEAD POWER）ボタン４１０及びボタン４１０の状態を表示するボタン表示部４１２が設けられている。なお、図２０には、ＥＳＣ  ＣＴＬタブ４１４を選択すると電源オンオフボタン４１０が表示される態様を例示した。
【０１０５】
操作者は、ＥＳＣ  ＣＴＬタブ４１４を押して液晶表示部２２に電源オンオフボタン４１０を表示させ、この電源オンオフボタン４１０を操作すると、リモコン雲台１４の電源のオンオフを遠隔操作することができる。また、リモコン雲台１４の電源オンオフ状態はボタン表示部４１２の表示内容によって一目で把握することができる。
【０１０６】
ネットワーク１２を介して雲台コントローラ２０により遠隔操作されるリモコン雲台１４及びシステムコントローラは、特定の人間のみの立ち入りが許可されるセキュリティエリアや、人間が立ち入ることが難しい場所に設置されることがあり、２４時間３６５日無停止で通電させておくことが通常である。しかし、撮影に使用されるのは一日のうち限られた時間であることが多く、かかる観点から、撮影に使用される時間に限り電源をオンとして、撮影以外の時間においては電源オフとすることが好ましい。
【０１０７】
かかる応用例４によれば、撮影時間以外の映像が必要でない時間はリモコン雲台１４の電源を容易に落とすことができ、また、必要に応じて電源を入れることができるので、リモコン雲台１４の省電力化に寄与するとともに、リモコン雲台システム４００全体の省電力化にも寄与し、省電力及びエコロジーの観点からも好ましいシステムといえる。
【０１０８】
上記の実施形態では、ネットワークを介して接続される雲台コントローラによりテレビカメラが装着されるリモコン雲台の遠隔操作を可能にするリモコン雲台システムについて説明したが、本発明の目的を逸脱しない範囲において適宜変更が可能である。
【０１０９】
上記の実施形態では、ネットワークを介して接続される雲台コントローラによりテレビカメラが装着されるリモコン雲台の遠隔操作を可能にするリモコン雲台システムについて説明したが、本発明の目的を逸脱しない範囲において適宜変更が可能である。
【０１１０】
〔付記〕
上記に詳述した発明の実施形態についての記載から把握されるとおり、本明細書は少なくとも以下に示す発明を含む多様な技術思想の開示を含んでいる。
【０１１１】
（発明１）：カメラを搭載したリモコン雲台カメラ装置を操作する操作装置であって、前記リモコン雲台の操作に用いる操作ボタン及び前記カメラの操作に用いる操作ボタンの少なくともいずれか一方が設けられる操作画面を表示する表示手段と、前記操作ボタンが操作され、当該操作ボタンに割り付けられている機能が開始されると、当該機能が終了するまでの間、少なくとも他の操作ボタン及びその周囲部の明るさを前記操作ボタンが操作されたときよりも落とすように前記表示手段の制御を行う表示制御手段と、を備えたことを特徴とする操作装置。
【０１１２】
本発明によれば、操作画面に設けられる操作ボタンが操作されると、少なくとも他の操作ボタン及びその周囲部の明るさを操作時よりも落とすので、操作者は視覚的に操作画面の状態を把握することができ、無駄な操作が行われることが防止され、かつ、的確な操作を行うことができ、操作しやすい操作装置の提供が可能である。
【０１１３】
（発明２）：発明１に記載の操作装置において、前記操作ボタンは、当該操作ボタンに割り付けられている機能以外の他の機能の実行が禁止される機能が割り付けられている操作ボタンを含み、前記他の操作ボタンは、前記他の機能が割り付けられている操作ボタンを含むことを特徴とする
かかる態様によれば、操作者は実行可能な機能が割り付けられる操作ボタンと、実行が禁止される操作ボタンと、を視覚的により容易に把握することができる。
【０１１４】
かかる態様において、機能の実行が禁止されている操作ボタンが操作されたときには、その操作が無効になる（当該機能が実行されない）ように構成される。
【０１１５】
表示制御手段は、当該機能が終了すると、通常の表示状態（通常の明るさ）に自動的に復帰するように表示手段を制御する態様が好ましい。
【０１１６】
（発明３）：発明１又は２に記載の操作装置であって、前記表示制御手段は、前記操作ボタンが操作され、当該操作ボタンに割り付けられている機能が開始されると、当該機能が終了するまでの間、前記操作画面の全体の明るさを前記操作ボタンが操作されたときよりも落とすように前記表示手段の制御を行うことを特徴とする。
【０１１７】
かかる態様によれば、操作画面の全体の明るさを落とすことにより機能の実行が禁止されている操作ボタンの存在を一目で把握することができる。
【０１１８】
操作画面の全体の明るさを落とす場合には、操作画面の照明手段（バックライト）の明るさを調整する態様が好ましい。
【０１１９】
（発明４）：発明１又は２に記載の操作装置において、前記表示制御手段は、前記操作ボタンが操作され、当該操作ボタンに割り付けられている機能が開始されると、当該機能が終了するまでの間、前記操作ボタンに割り付けられている機能と関連する機能が割り付けられている操作ボタンの明るさを落とさないように前記表示手段の制御を行うことを特徴とする。
【０１２０】
かかる態様において、明るさを落とさない操作ボタンに割り付けられている機能は実行可能であることを操作者が容易に把握することができる。
【０１２１】
（発明５）：発明４に記載の操作装置において、前記表示制御手段は、前記操作ボタンの操作前の状態において前記操作ボタンに割り付けられている機能と関連する機能が割り付けられている操作ボタンの明るさを他の操作ボタンよりも落とすように前記表示手段の制御を行うことを特徴とする。
【０１２２】
かかる態様によれば、関連する機能の操作が可能であるか否かを視覚的に把握することができる。
【０１２３】
（発明６）：発明１乃至５のいずれか１項に記載の操作装置において、前記操作ボタンは、オートホワイトバランスが割り付けられている操作ボタン及びオートブラックバランスが割り付けられている操作ボタンの少なくともいずれか一方を含むことを特徴とする。
【０１２４】
かかる態様によれば、オートホワイトバランス実行時及びオートブラックバランス実行時において、他の機能の実行が禁止されている旨を操作者が容易に把握することができ、無駄な操作が行われることを回避できる。
【０１２５】
かかる態様において、少なくともカメラ側でシャッター及びゲインコントロールのフルオート制御を行うオート機能が割り付けられている操作ボタンの明るさに対してシャッター機能及びゲインコントロール機能が割り付けられている操作ボタンの明るさを落とす態様や、ホワイトバランスを逐次自動補正するオートトラッキングホワイトバランス機能が割り付けられている操作ボタンの明るさに対してレッドゲイン機能やブルーゲイン機能など個別のゲイン調整機能が割り付けられている操作ボタンの明るさを落とす態様が好ましい。
【０１２６】
（発明７）：発明１乃至６のいずれかに記載の操作装置において、前記表示制御手段は、明るさを落とす部分に対応するパターンを有するマスクパターンを用いて、当該部分の明るさを通常よりも落とすように前記表示手段の制御を行うことを特徴とする。
【０１２７】
かかる態様におけるマスクパターンにはグレーマスクパターンが好適に用いられる。
【０１２８】
（発明８）：発明１乃至７のいずれかに記載の操作装置において、前記表示制御手段は、明るさを落とす部分の明るさを通常の１／２以下となるように前記表示手段の制御を行うことを特徴とする。
【０１２９】
かかる態様において、明るさを落とす部分は操作者が視認可能な程度まで明るさを落とすことができる。
【０１３０】
（発明９）：カメラを搭載したリモコン雲台カメラ装置を操作する操作装置に具備され、前記リモコン雲台の操作に用いる操作ボタン及び前記カメラの操作に用いる操作ボタンの少なくともいずれか一方が設けられる操作画面の表示方法であって、前記操作ボタンが操作され、当該操作ボタンに割り付けられている機能が開始されると、当該機能が終了するまでの間、少なくとも他の操作ボタン及びその周囲部の明るさを前記操作ボタンが操作されたときよりも落とすことを特徴とする操作画面表示方法。
【図面の簡単な説明】
【０１３１】
【図１】本発明の実施形態に係るリモコン雲台システムの全体構成図
【図２】図１に示す雲台コントローラの操作面の構成を示す平面図
【図３】図１に示す雲台コントローラの全体構成を示すブロック図
【図４】図２に示す雲台コントローラの操作画面を説明する図
【図５】図４に示す操作画面の表示制御を説明する図
【図６】図５に示す操作画面の表示制御の他の態様を説明する図
【図７】図４に示すカメラ表示部の他の表示例を説明する図
【図８】本発明の応用例１に係るリモコン雲台システムの全体構成図
【図９】図８に示す液晶表示部の表示を説明する図
【図１０】リモコン雲台カメラ装置との通信を確立したときの液晶表示部の表示を説明する図
【図１１】操作禁止中の液晶表示部の表示を説明する図
【図１２】リモコン雲台カメラ装置との通信を遮断したときの液晶表示部の表示を説明する図
【図１３】図８に示すリモコン雲台システムにおいて、他のリモコン雲台カメラ装置に通信先を切り換えたときの液晶表示部のレイアウトを説明する図
【図１４】さらに他のリモコン雲台カメラ装置に通信先を切り換えたときの液晶表示部のレイアウトを説明する図
【図１５】さらに他のリモコン雲台カメラ装置に通信先を切り換えたときの液晶表示部のレイアウトを説明する図
【図１６】本発明の応用例２に係るオプションボタンの表示例
【図１７】本発明の応用例３に係る液晶表示部の表示を説明する図
【図１８】本発明の応用例３に係る液晶表示部の他の表示例を説明する図
【図１９】本発明の応用例４に係るリモコン雲台システムの概略構成図
【図２０】図１９に示す液晶表示部のレイアウトを説明する図
【符号の説明】
【０１３２】
１０…リモコン雲台システム、１４…リモコン雲台、２０…操作装置、２２…液晶表示部、５０…ＣＰＵ、５６…表示部、５８…タッチパネル、６１、６１’…操作画面、６８，１００，１０２，１０４，１０６，１３０，１３２，１３４，１３６…操作ボタン、１２０…周囲部
【図１】
2010124075.tif 000003
【図２】
2010124075.tif 000004
【図３】
2010124075.tif 000005
【図４】
2010124075.tif 000006
【図５】
2010124075.tif 000007
【図６】
2010124075.tif 000008
【図７】
2010124075.tif 000009
【図８】
2010124075.tif 000010
【図９】
2010124075.tif 000011
【図１０】
2010124075.tif 000012
【図１１】
2010124075.tif 000013
【図１２】
2010124075.tif 000014
【図１３】
2010124075.tif 000015
【図１４】
2010124075.tif 000016
【図１５】
2010124075.tif 000017
【図１６】
2010124075.tif 000018
【図１７】
2010124075.tif 000019
【図１８】
2010124075.tif 000020
【図１９】
2010124075.tif 000021
【図２０】
2010124075.tif 000022